(57)【要約】【課題】合成樹脂製の継手本体に樹脂被覆鋼板からなる半割形の一対のカバー体を、その突き合わせ端縁同士を緊密に密着させて隙間を生じさせずに接合させて継手本体に固定して曲がり継手を構成する。【解決手段】平面視略Ｌ字形に屈曲した合成樹脂製の継手本体２の外周面を、鋼板を折り曲げて形成されたカバー体３、３で覆って構成された曲がり継手１において、カバー体３、３の突き合わせ端縁に係止凸部３４又は係止凹部３５を形成し、突き合わせ端縁同士を係止凹凸部３４、３５を互いに係合させて接合し、カバー体３、３を継手本体２に固定する。【選択図】図４
2011179182.tif 000002
【特許請求の範囲】
【請求項１】
平面視略Ｌ字形に屈曲した合成樹脂製の継手本体の外周面を、鋼板を折り曲げて形成されたカバー体で覆って構成された曲がり継手であって、
前記カバー体は継手本体のコーナー対角部を境としてその外周片半面づつをそれぞれ覆う一対のカバー体により形成されているとともに、前記コーナー対角部に沿った両カバー体の突き合わせ端縁に係止凸部又は係止凹部がそれぞれ形成され、一方のカバー体の突き合わせ端縁に形成された係止凸部を他方のカバー体の突き合わせ端縁に形成された係止凹部に係合させて一体に接続される構成を有することを特徴とする曲がり継手。
【請求項２】
継手本体の底面部を被うカバー体の底板部の突き合わせ端縁に係止凸部又は係止凹部を設けたことを特徴とする請求項１に記載の曲がり継手。
【発明の詳細な説明】
【技術分野】
【０００１】
本発明は、家屋の出隅や入隅などの軒先コーナー部で軒樋同士を接続する曲がり継手に関する。
【背景技術】
【０００２】
家屋の軒先を見栄えの良いものとするために、軒先に軒天や屋根、壁、窓枠などとマッチした色や模様の軒樋を取り付け、出隅や入隅などの軒先コーナー部にも同じ色や模様の曲がり継手を取り付けて軒樋同士を接続し、軒廻りが屋根や外壁と一体感のある外観のものとなるような造作が行われている。
ところで、最近ではデザイン性や耐久性を高めるために表面を塩ビ樹脂などで被覆した樹脂被覆鋼板を折り曲げて成形した軒樋が使用されるに至っているが、この軒樋同士を軒先コーナー部で接続する曲がり継手は塩ビ樹脂などの射出成形品のままであり、前記の如く軒廻りを同色又は同模様に造作したとしても、樹脂被覆鋼板からなる軒樋と射出成形品である曲がり継手では表面の光沢や質感などが微妙に異なり、両部材の接続部の境界がはっきりと浮き出て見え、反って外観上の違和感を醸し出してしまうことがある。
【０００３】
そこで、 本出願人は、軒樋を成形する樹脂被覆鋼板と同一の樹脂被覆鋼板を用いて曲がり継手のカバー体を成形し、このカバー体で継手本体の外周面を覆って形成した曲がり継手を提案した。
これは、図６に示されるように、平面視略Ｌ字形に屈曲した合成樹脂製の継手本体９２の外周面に樹脂被覆鋼板を折り曲げて形成したカバー体９３を被せ、継手本体９２のコーナー対角部Ｐ１−Ｐ２を境として継手本体９２の外周片半面づつが一対のカバー体９３でそれぞれ覆われ、継手本体９２の両端部には軒樋の端部が外嵌合する軒樋接続部９２１が設けられた曲がり継手９１を構成したものである（特許文献１参照）。
【０００４】
【特許文献１】特開２００８−２１４９６７号公報
【発明の開示】
【発明が解決しようとする課題】
【０００５】
図６に示した曲がり継手９１において、前述の如く継手本体９２の外周面を覆うカバー体９３が軒樋と同じ材質及び色や模様の樹脂被覆鋼板を用いて成形してあれば、軒先コーナー部に取り付けられる曲がり継手９１とこれに接続する軒樋とが同じ色或いは模様で一つながりに連続した外観形態のものとなり、軒先の見栄えを良くすることができる。
ところが、同図（Ｂ）に示されるように、平面視略Ｌ字形に屈曲した継手本体９２の外周面を一対のカバー体９３、９３で覆ったときに、両カバー体のコーナー対角部Ｐ１−Ｐ２における突き合わせ端縁が緊密に密着して接続できず、互いに離間して継手本体９１の底面から浮いた状態になることがあった。そして、施工時に継手本体９２の外面とカバー体９３、９３の内面を接着剤や両面テープなどを介して固着しておいても、永年使用によって固着が外れ、双方のカバー体９３、９３の突き合わせ端縁が離間して隙間ができてしまうという問題が提起されるに至った。
【０００６】
本発明は従来技術の有するこのような問題点に鑑み、軒先コーナー部が軒樋と同じ色や模様で一体に連なった外観形態となるように、曲がり継手を軒樋と同素材の樹脂被覆鋼板を用いて形成した一対のカバー体で継手本体の外周面を覆って形成するとともに、両カバー体が互いの突き合わせ端縁を緊密に密着させて隙間を生じさせずに継手本体に一体に固定される構成とすることを課題とする。
【課題を解決するための手段】
【０００７】
前記課題を解決するため本発明の曲がり継手は、平面視略Ｌ字形に屈曲した合成樹脂製の継手本体の外周面を、鋼板を折り曲げて形成されたカバー体で覆って構成された曲がり継手であって、前記カバー体は継手本体のコーナー対角部を境としてその外周片半面づつをそれぞれ覆う一対のカバー体により形成されているとともに、前記コーナー対角部に沿った両カバー体の突き合わせ端縁に係止凸部又は係止凹部がそれぞれ形成され、一方のカバー体の突き合わせ端縁に形成された係止凸部を他方のカバー体の突き合わせ端縁に形成された係止凹部に係合させて一体に接続される構成を有することを特徴とする。
これによれば、継手本体の外周面は一対のカバー体で覆われ、一方のカバー体の突き合わせ端縁に形成した係止凸部が、他方のカバー体の突き合わせ端縁に形成した係止凹部に係合して不離一体に接続するので、双方のカバー体の突き合わせ端縁は隙間を生じさせずに接合し、また、両カバー体はその部材の一部を互いに凹凸係合させて接続しているため接合位置がずれたり分離したりし難く、接続状態を安定的に保持して継手本体の外周面に一体に固定しておくことができる。
【０００８】
前記構成において、カバー体に設ける係止凸部と係止凹部は、継手本体の底面部を覆う両カバー体の底板部の突き合わせ端縁にそれぞれ設けることができる。
このように、カバー体の底板部の突き合わせ端縁に相互に係合する凸部と凹部をそれぞれ設ければ、両カバー体の底板部は係合凹凸部を係合させることで緊密に密着して接続し、接合縁部に沿って隙間ができたり外れたりすることはない。曲がり継手の底部は軒先に露出しているため軒下から軒を見上げたときに目につき易いが、前記の通り両カバー体がその端縁を緊密に密着させて接続しているので、曲がり継手の底部をカバー体間の隙間や位置ずれがない、綺麗な外観のものに仕上げることができる。
【発明の効果】
【０００９】
本発明の曲がり継手によれば、継手本体の外周面に装着する一対のカバー体を、それぞれの突き合わせ端縁に設けた係合凹凸部を互いに係合させて接続してあるので、互いの突き合わせ端縁が緊密に密着して隙間を生じさせずに接合し、突き合わせ端部に沿って隙間や位置ズレを生じさせることなく、両カバー体の突き合わせ端縁を当初の接合位置に保持したまま、継手本体の外周面に安定的に固定しておくことができ、これにより軒先コーナー部を含む軒廻りの外観装飾の多様化を図ることが可能となる。
【図面の簡単な説明】
【００１０】
【図１】本発明の一実施形態の曲がり継手を上方から見た斜視図である。
【図２】図１の曲がり継手を下方から見た斜視図である。
【図３】図１の曲がり継手の底面図である。
【図４】図１の曲がり継手を継手本体とカバー体に展開した状態の斜視図である。
【図５】カバー体に設ける係止凹凸部の他の形態を示した図である。
【図６】従来の曲がり継手の継手本体とカバー体に展開した状態の斜視図（Ａ）と曲がり継手の底面図（Ｂ）である。
【発明を実施するための最良の形態】
【００１１】
本発明の好適な一実施形態を図面を参照して説明する。
図１〜図４は本発明の一実施形態の曲がり継手を示しており、図中、符号１は曲がり継手、２は継手本体、３はカバー体、４は軒樋をそれぞれ示している。
【００１２】
図示した曲がり継手１は、軒先コーナー部の出隅に取り付けられる所謂外曲がり継手である。
この曲がり継手１に接続される軒樋４は、鋼板の表面が塩ビ樹脂などで被覆された長尺の樹脂被覆鋼板を折り曲げで形成されるものであって、図１に示されるように、底壁４１と、底壁４１の前端縁から斜め前方に立ち上がる前側壁４２と、底壁４１の後端縁から垂直に立ち上がる後側壁４３とによって断面略Ｕ字状に形成され、前側壁４２と後側壁４３の上端にはそれぞれ前耳部４２ａと後耳部４３ａを設けて形成されている。また、前側壁４２の上下中間位置には、その長手方向に連続して内側へ断面略三角形に窪んだ凹溝４２１が形成され、この凹溝４２１によって軒樋４の剛性と斬新なデザイン性を確保したものとなっている。
【００１３】
曲がり継手１は、平面視略Ｌ字形に屈曲した合成樹脂製の継手本体２と、継手本体２の外周面を被う一対のカバー体３からなり、継手本体２の外周面をカバー体３で一体に覆って構成されている。
継手本体２は塩ビ樹脂、ＰＰ樹脂などを射出成形して得られるものであって、図４に示されるように、平面視略Ｌ字状に屈曲した平板状の底面部２１の出隅側端縁から前面部２２を斜め前方へ立ち上げるとともに底面部２１の入隅側端縁からは後面部２３を垂直に立ち上げ、その縦断面が軒樋４の縦断面と略同じ形状となるように形成している。また、継手本体２の前面部２２には、その上下中間位置に内側へ断面略三角形に窪んだ凹溝２２１が水平方向に沿って形成されて、その両端には軒樋４の端部が接続する軒樋接続部２４が設けられている。
【００１４】
軒樋接続部２４には、軒樋４の前耳部４２ａと後耳部４３ａをそれぞれ支持する前耳支持部２２ａと後耳支持部２３ａが形成されており、その奥側に軒樋４の端部が嵌挿される嵌合溝２５ａが形成されている。
より詳しくは、軒樋接続部２４の前面部２２の上端には、軒樋４の前耳部４２ａを上方から押圧保持する前耳支持部２２ａが突設され、後面部２３の上端には後耳部４３ａを下方から支持する略Ｌ字状の後耳支持部２３ａが形成してある。また、軒樋接続部２４の奥側には、その内周面に沿って略Ｕ字状の内壁２５が形成され、当該内壁２５と底面部２１及び前後両面部２２、２３との間に、軒樋４の端部が嵌挿可能な隙間を有する嵌合溝２５ａが形成してある。さらに、内壁２５の上端部には、継手本体２の前後両面部２２、２３に跨って連結部材２６が架け渡されており、この連結部材２６によって継手本体２の剛性が確保されている。
【００１５】
カバー体３は、図３に示されるように、前記継手本体２のコーナー対角部Ｐ１―Ｐ２を境として、その外周片半面づつを覆うことができるように、継手本体２の外周面に沿って樹脂被覆鋼板を折り曲げて形成したものであり、略対称形状の一対のカバー体３、３によって継手本体２の外周面全体を覆うように構成されている。
軒先コーナー部における外観上の一体性を醸し出すため、カバー体３を形成する樹脂被覆鋼板としては、軒樋４を構成する樹脂被覆鋼板と同様のものを使用することが好ましい。使用する樹脂皮膜鋼板としては、鋼板（厚み、０．３５〜０．４ｍｍ）の表面を耐候性及び耐食性を有する塩ビフィルム（厚み、０．１５〜０．２５ｍｍ）で被覆した「ヒシメタル」（登録商標；三菱樹脂株式会社）などが好適である。塩ビフィルムの表面をさらに高耐候処理がなされた化粧フィルムで被覆したものを用いることもできる。
【００１６】
一対のカバー体３、３は、図４に示されるように、継手本体２の底面部２１を被う底板部３１と、継手本体２の前後両面部２２、２３を覆う前後両板部３２、３３とを有して、継手本体２の外周面の片半面に略沿う断面略Ｌ字状に形成されている。前記前板部３２の上端縁には継手本体２の前面部２２の上端縁と係合するように内側へ屈曲した折曲片３２ａを設け、その上下中間位置には継手本体２の凹溝２２１と係合するように内側へ突出した凸部３２１が形成してある。カバー体３、３の後板部３３は継手本体２の後面部２３の下半部を部分的に被う程度の高さに設けてある。
【００１７】
この一対のカバー体３、３は、継手本体２の底面部２１のコーナー対角部Ｐ１―Ｐ２に沿って互いに底板部３１、３１の端縁を突き合わせて接合され、両カバー体３、３のそれぞれの端縁には当該端縁から突出した台形状の係止凸部３４と当該係止凸部３４が係合する形状の係止凹部３５が接合位置に対応させて形成されており、この突き合わせ端縁とは反対側に位置する底板部３１、前後両板部３２、３３の各端縁には、それぞれ内側へ折り返してヘミング加工した内折れ部３１ｂ、３２ｂ、３３ｂを設けてある。前記係止凸部３４と係止凹部３５は、ともにその端縁側の幅が狭く、それよりも内方が広い略々台形状を呈し、相互に重ね合わせたときにぴったりと嵌合する対応形状に設けてある。
【００１８】
前記継手本体２とカバー体３、３からなる曲がり継手１は、継手本体２のコーナー対角部Ｐ１−Ｐ２を境としてその外周片半面づつを装着されたカバー体３、３で覆い、継手本体２の外面とカバー体３の内面とを接着剤や両面テープなどを介して一体に固着し、且つそれぞれのカバー体３の突き合わせ端縁に形成された係止凸部３４と係止凹部３５とを不離一体に係合し接合して構成され、カバー体３、３の底板部３１、３１をその突き合わせ端縁を係止凹凸部３４、３５で係合して接合することで、双方のカバー体３、３の突き合わせ端縁が緊密に密着し、永年使用によっても当該突き合わせ端縁に隙間が生じることがない。
【００１９】
本形態の曲がり継手１は、軒先コーナー部の出隅に取り付けられて軒樋４が接続される外曲がり継手であり、この曲がり継手１に軒樋４を接続する際には、図１に示す如く、軒樋４の端部を曲がり継手１の軒樋接続部２４に向き合わせ、軒樋４の前後両耳部４２ａ、４３ａを前後両耳支持部２２ａ、２３ａに支持させるとともに、軒樋４の端部を軒樋接続部２４の内面に当接させながら軒樋接続部２４の奥側へ押し込んで嵌合溝２５ａに嵌挿する。
【００２０】
この接続作業時に、軒樋接続部２４に差し渡されている連結部材２６を片方の手で掴んで曲がり継手１を安定した状態に保持し、他方の手で掴んだ軒樋４を水平方向にずらすだけで、軒樋４を軒樋接続部２４の奥側までスムーズに押し込んで接続することができるので、足場の不安定な高所でも一人の作業者が軒樋の接続作業を簡単に行うことが可能である。
【００２１】
なお、本発明の曲がり継手１は、軒先コーナー部の出隅に取り付けられる外曲がり継手に限定されるものではなく、入隅に取り付けられる内曲がり継手にも適用することもできる。
また、一対のカバー体３、３を不離一体に接合する係止凸部と係止凹部は、例えば図５（Ａ）に示されるように、一方のカバー体３に係止凸部３４のみ、他方のカバー体３には係止凹部３５のみを設けてよく、また、その形状は、同図（Ｂ）に示されるような適宜な凹凸対応形状に設けることができるが、突き合わせ端縁が分離し難いように端縁側が幅狭、内面側が幅広とした形状とするのが好ましい。
また、カバー体３の底板部３１の突き合わせ端縁に設ける構成に限定されず、カバー体３の前板部３２の突き合わせ端縁に設けてもよく、さらには同図（Ｃ）に示されるように、カバー体３、３の双方に係止凹部３５を形成し、カバー体と別体の連結部材５を係止凹部３５、３５に係合させて接続するようにしてもよい。
【符号の説明】
【００２２】
１  曲がり継手、２  継手本体、２１  底面部、２２  前面部、２３  後面部、２４  軒樋接続部、３  カバー体、３１  底板部、３２  前板部、３３  後板部、３４  係止凸部、３５  係止凹部、４  軒樋、４１  底壁、４２  前側壁、４３  後側壁、５  連結部材
【図１】
2011179182.tif 000003
【図２】
2011179182.tif 000004
【図３】
2011179182.tif 000005
【図４】
2011179182.tif 000006
【図５】
2011179182.tif 000007
【図６】
2011179182.tif 000008